(57)【要約】【課題】  電力の供給が停止した状態であっても、簡易な構成によって扉の開閉を検出することを可能とするとともに、不必要なイニシャル処理を省略することができる後処理装置を提供する。【解決手段】  後処理装置１００は、少なくとも１つの扉２０と、電荷を蓄積し、かつ、扉２０が開いた状態において電荷が抜け、扉２０が閉じた状態において電荷が維持される電荷蓄積部３１と、画像形成装置２００からの電力の供給が再開された場合に、電荷蓄積部３１に蓄積された電荷量に応じて、画像形成装置２００からの電力の供給が停止している間に扉２０が開いたか否かを検出する制御ユニット４０とを備える。制御ユニット４０（は、扉２０が開いたことを検出しなかった場合には、イニシャル処理を実行させず、扉２０が開いたことを検出した場合には、イニシャル処理を実行させる。【選択図】  図３
2010066556.tif 000002
【特許請求の範囲】
【請求項１】
画像形成装置から供給される電力によって動作する後処理装置であって、
少なくとも１つの扉と、
電荷を蓄積し、かつ、前記扉が開いた状態において電荷が抜け、前記扉が閉じた状態において電荷が維持されるように構成された電荷蓄積部と、
前記画像形成装置からの電力の供給が再開された場合に、前記電荷蓄積部に蓄積された電荷量に応じて、前記画像形成装置からの電力の供給が停止している間に前記扉が開いたか否かを検出する制御部とを備え、
前記制御部は、前記扉が開いたことを検出しなかった場合には、イニシャル処理を実行させず、前記扉が開いたことを検出した場合には、前記イニシャル処理を実行させることを特徴とする後処理装置。
【請求項２】
前記画像形成装置から供給される電力によって、前記電荷蓄積部に電荷を補充する補充部をさらに備え、
前記補充部は、前記画像形成装置からの電力の供給が再開されてから前記イニシャル処理が終了するまでの間に、前記電荷蓄積部への電荷の補充を完了することを特徴とする請求項１に記載の後処理装置。
【請求項３】
前記制御部は、前記電荷蓄積部に蓄積された電荷量が所定閾値を下回った場合に、前記扉が開いたと検出することを特徴とする請求項１に記載の後処理装置。
【発明の詳細な説明】
【技術分野】
【０００１】
本発明は、画像形成装置から供給される電力によって動作する後処理装置に関する。
【背景技術】
【０００２】
従来、複写機やプリンタなどの画像形成装置に併設された後処理装置が知られている。後処理装置は、ソート処理、穴空け（パンチ）処理、ステープル処理、冊子（中折り）処理、中綴じ処理、裁断処理などを行う。
【０００３】
一般的に、後処理装置は、ＡＣ電源を有しておらず、画像形成装置から供給される電力によって動作する。画像形成装置は、後処理装置の状態を把握しながら、後処理装置と連動して動作する。
【０００４】
ここで、後処理装置に設けられた扉を開いて、後処理装置に設けられた処理機構に対して何らかの操作が行われるケースがある。このように、後処理装置に設けられた扉が開かれると、画像形成装置が把握する後処理装置の状態が実際の状態と異なってしまう可能性がある。これは、画像形成装置や後処理装置の誤動作を引き起こす原因となる。
【０００５】
従って、後処理装置に設けられた扉が開かれた場合には、後処理装置は、処理機構の位置を初期位置に戻すイニシャル処理を実行する。
【０００６】
ところで、画像形成装置の電源が切断されると、後処理装置への電力の供給も停止する。後処理装置への電力の供給が停止した状態では、後処理装置に設けられた扉の開閉を検出することができない。
【０００７】
従って、後処理装置への電力の供給が再開された場合には、後処理装置は、扉の開閉が行われたか否かによらずに、イニシャル処理を実行する。
【０００８】
なお、画像形成装置に接続されるオプション装置に二次電池を設けることによって、必要に応じて、二次電池からオプション装置に電力を供給する技術が提案されている（例えば、特許文献１）。
【特許文献１】特開２００７−１４８０２６号公報
【発明の開示】
【発明が解決しようとする課題】
【０００９】
ところで、後処理装置には、複数の処理機構が設けられていることが考えられる。後処理装置への電力の供給が再開された際に、全ての処理機構のイニシャル処理を同時に実行すると、一時的に電力が不足する可能性がある。一方で、各処理機構のイニシャル処理を順に実行すると、全ての処理機構のイニシャル処理に必要な時間が長くなってしまう。
【００１０】
なお、二次電池と、二次電池から供給される電力によって扉の開閉を検出するセンサとを後処理装置に設けることによって、後処理装置への電力の供給が停止した状態において扉の開閉を検出することも考えられる。
【００１１】
しかしながら、このような構成では、センサの検出結果をメモリに格納する回路などを設ける必要があり、後処理装置のコストが上昇する。また、二次電池に蓄積された電力が無くなる可能性も考慮しなければならない。
【００１２】
そこで、本発明は、上述した課題を解決するためになされたものであり、電力の供給が停止した状態であっても、簡易な構成によって扉の開閉を検出することを可能とするとともに、不必要なイニシャル処理を省略することができる後処理装置を提供することを目的とする。
【課題を解決するための手段】
【００１３】
上述した課題を解決するため、本発明は、次のような特徴を有している。まず、本発明の一の特徴において、後処理装置（後処理装置１００）は、画像形成装置（画像形成装置２００）から供給される電力によって動作する。後処理装置は、少なくとも１つの扉（扉２０）と、電荷を蓄積し、かつ、扉が開いた状態において電荷が抜け、扉が閉じた状態において電荷が維持されるように構成された電荷蓄積部（電荷蓄積部３１）と、画像形成装置からの電力の供給が再開された場合に、電荷蓄積部に蓄積された電荷量に応じて、画像形成装置からの電力の供給が停止している間に扉が開いたか否かを検出する制御部（制御ユニット４０）とを備える。制御部は、扉が開いたことを検出しなかった場合には、イニシャル処理を実行させず、扉が開いたことを検出した場合には、イニシャル処理を実行させる。
【００１４】
かかる特徴によれば、電荷蓄積部は、扉が開いた状態において電荷が抜け、扉が閉じた状態において電荷が維持される。制御部は、画像形成装置からの電力の供給が再開された場合に、電荷蓄積部に蓄積された電荷量に応じて、画像形成装置からの電力の供給が停止している間に扉が開いたか否かを検出する。従って、画像形成装置からの電力の供給が停止した状態であっても、簡易な構成によって扉の開閉を検出することができ、後処理装置のコストの上昇を抑制できる。
【００１５】
また、制御部は、扉が開いたことを検出しなかった場合には、イニシャル処理を実行させず、扉が開いたことを検出した場合には、イニシャル処理を実行させる。これによれば、不必要なイニシャル処理を省略することができる。従って、画像処理装置の電力が一時的に不足することをできる限り抑制でき、かつ、イニシャル処理に必要な時間をできる限り短縮することが可能となる。
【００１６】
その他の特徴において、後処理装置は、画像形成装置から供給される電力によって、電荷蓄積部に電荷を補充する補充部（電荷補充部３２）をさらに備える。補充部は、画像形成装置からの電力の供給が再開されてからイニシャル処理が終了するまでの間に、電荷蓄積部への電荷の補充を完了する。
【００１７】
その他の特徴において、制御部は、電荷蓄積部に蓄積された電荷量が所定閾値を下回った場合に、扉が開いたと検出する。
【発明の効果】
【００１８】
本発明によれば、電力の供給が停止した状態であっても、簡易な構成によって扉の開閉を検出することを可能とするとともに、不必要なイニシャル処理を省略することができる後処理装置を提供することができる。
【発明を実施するための最良の形態】
【００１９】
以下において、本発明の実施形態に係る後処理装置について、図面を参照しながら説明する。なお、以下の図面の記載において、同一又は類似の部分には、同一又は類似の符号を付している。
【００２０】
ただし、図面は模式的なものであり、各寸法の比率などは現実のものとは異なることに留意すべきである。従って、具体的な寸法などは以下の説明を参酌して判断すべきである
。また、図面相互間においても互いの寸法の関係や比率が異なる部分が含まれていることは勿論である。
（後処理装置の概略）
以下において、本実施形態に係る後処理装置１００の概略について、図面を参照しながら説明する。図１は、本実施形態に係る後処理装置１００及び画像形成装置２００の概略を示す斜視図である。
【００２１】
図１に示すように、後処理装置１００は、複写機やプリンタなどの画像形成装置２００に併設されている。なお、画像形成装置２００の詳細な説明については、省略する。
【００２２】
後処理装置１００は、画像形成装置２００によって画像が形成された用紙の後処理を行う。後処理装置１００は、例えば、ソート処理、穴空け処理、ステープル処理、冊子処理、中綴じ処理、裁断処理などをそれぞれ行う処理機構１０を備えている。
【００２３】
後処理装置１００は、１つの扉２０を備えている。扉２０は、一般的に、処理機構１０に対して何らかの操作が行われる際に開かれる。
（後処理装置の機能）
次に、本実施形態に係る後処理装置１００の機能について、図面を参照しながら説明する。図２は、本実施形態に係る後処理装置１００及び画像形成装置２００を示すブロック図である。
【００２４】
図２に示すように、後処理装置１００は、ＡＣ電源を有しておらず、画像形成装置２００から供給される電力によって動作する。なお、ＡＣ電源２１０は、画像形成装置２００に設けられている。
【００２５】
後処理装置１００設けられる処理機構１０としては、例えば、用紙を基準に従って一部毎に変位させるソート処理機構１１、用紙に穴を開ける穴空け処理機構１２、用紙の束にステープル処理を施すステープル処理機構１３、用紙を中心で折る冊子処理機構１４、中心で折られた用紙を綴じる中綴じ処理機構１５や、用紙を裁断する裁断処理機構１７などがある。
【００２６】
後処理装置１００は、扉２０の開閉に伴って電荷の蓄積量を変化させるスイッチユニット３０と、後処理装置１００を総括的に制御する制御ユニット４０（制御部）とを有する。なお、スイッチユニット３０の構成については、後述する（図３参照）。
【００２７】
制御ユニット４０は、画像形成装置２００の電源がＯＦＦである際（以下、電源ＯＦＦ時）の扉２０の開閉を検出する検出部４１と、処理機構１０にイニシャル処理を実行させるイニシャル処理部４２と、処理機構１０に後処理動作を実行させる後処理動作部４３とを有する。
【００２８】
検出部４１は、後述する電荷蓄積部３１を監視する。検出部４１は、画像形成装置２００からの電力の供給が再開された場合（すなわち、電源投入時）に、電荷蓄積部３１に蓄積された電荷量に応じて、画像形成装置２００からの電力の供給が停止している間に扉２０が開いたか否かを検出する。
【００２９】
イニシャル処理部４２は、電源投入時において、扉２０が開いたことが検出部４１によって検出されなかった場合には、処理機構１０にイニシャル処理を実行させず、扉２０が開いたことが検出部４１によって検出された場合には、処理機構１０にイニシャル処理を実行させる。なお、イニシャル処理とは、処理機構１０の位置を初期位置に戻す処理を示す。
【００３０】
後処理動作部４３は、画像形成装置２００からの指示に基づいて、処理機構１０に後処理を実行させる。なお、処理機構１０が通常行う後処理には、ソート処理、穴空け処理、ステープル処理、冊子処理、中綴じ処理、裁断処理などがある。
（スイッチユニットの構成）
次に、本実施形態に係るスイッチユニット３０の構成について、図面を参照しながら説明する。図３は、本実施形態に係るスイッチユニット３０を示す回路図である。
【００３１】
図３に示すように、スイッチユニット３０は、電荷を蓄積する電荷蓄積部３１と、電荷蓄積部３１に電荷を補充する電荷補充部３２と、扉２０の開閉に連動する扉スイッチ部３３とによって構成される。
【００３２】
電荷蓄積部３１は、電荷を蓄積し、かつ電荷を放出するキャパシターによって構成される。電荷蓄積部３１は、電荷補充部３２と扉スイッチ部３３との間に接続されている。電荷蓄積部３１と電荷補充部３２との間には、抵抗Ｒ１及び接続点Ｐ１が設けられる。電荷蓄積部３１と扉スイッチ部３３との間には、接続点Ｐ１及び接続点Ｐ２が設けられる。
【００３３】
電荷補充部３２は、画像形成装置２００からの電力によって、電荷蓄積部３１に電荷を補充するダイオードによって構成される。電荷補充部３２は、画像形成装置２００と抵抗Ｒ１との間に接続されている。なお、抵抗Ｒ１と制御ユニット４０との間には、接続点Ｐ１及び接続点Ｐ２を介して、抵抗Ｒ１及び抵抗Ｒ３よりも電荷が流れにくい保護抵抗Ｒ２が設けられる。
【００３４】
扉スイッチ部３３は、扉２０が開いた状態においては、ポイント３３ａとポイント３３ｂとを導通してＯＮ（図３の破線ａ）となり、扉２０が閉じた状態においては、ポイント３３ａとポイント３３ｂとを導通せずにＯＦＦ（図３の実線ｂ）となるスイッチを構成する。扉スイッチ部３３は、電荷蓄積部３１とアースＥとの間に設けられている。扉スイッチ部３３とアースＥとの間には、抵抗Ｒ３が設けられている。
【００３５】
以下において、（Ａ）画像形成装置２００の電源がＯＮであるケース（以下、ケースＡ）、（Ｂ）画像形成装置２００の電源がＯＦＦであるケース（以下、ケースＢ）について、図３を参照しながら説明する。
（Ａ）ケースＡ
ケースＡでは、後処理装置１００に画像形成装置２００からの電力が供給されている。ケースＡにおいて、扉２０が開かれた状態と、扉２０が閉じた状態とが考えられる。
【００３６】
扉２０が開かれた状態及び扉２０が閉じた状態は、画像形成装置２００からの電力で作動する検出手段（例えば、センサー）によって検出される。すなわち、検出手段は、上述したスイッチユニット３０以外の手段である。
【００３７】
なお、扉２０が閉じた状態で、電荷補充部３２は、画像形成装置２００からの電力の供給が再開されてからイニシャル処理が終了するまでの間に、抵抗Ｒ１を介して電荷蓄積部３１への電荷の補充を完了する。
（Ｂ）ケースＢ
ケースＢでは、後処理装置１００に画像形成装置２００からの電力の供給が停止している。ケースＢにおいて、ケース１と同様に、扉２０が開かれた状態と、扉２０が閉じた状態とが考えられる。
【００３８】
扉２０が開かれた状態では、扉スイッチ部３３がＯＮ（図３の破線ａ参照）となり、電荷蓄積部３１に蓄積された電荷は、保護抵抗Ｒ２よりも電荷が流れやすい抵抗Ｒ３側へ向
かう。つまり、電荷蓄積部３１に蓄積された電荷は、接続点Ｐ１及び接続点Ｐ２を介して扉スイッチ部３３を抜け、抵抗Ｒ３及び接続点Ｐ３を介してアースＥから抜ける。
【００３９】
扉２０が閉じた状態では、扉スイッチ部３３がＯＦＦ（図３の実線ｂ参照）となり、電荷蓄積部３１に蓄積された電荷は、維持される。
【００４０】
このように、電荷蓄積部３１は、扉２０が開いた状態において電荷が抜け、扉２０が閉じた状態において電荷が維持されるように構成されている。
【００４１】
検出部４１は、画像形成装置２００からの電力の供給が再開された場合に、電荷蓄積部３１に蓄積された電荷量を測定する。具体的には、検出部４１は、抵抗Ｒ２を流れる電流に基づいて、接点Ｐ１での電圧を検出する。検出部４１は、検出した接続点Ｐ１の電圧に基づいて、電荷蓄積部３１に蓄積された電荷量を検出する。そして、検出部４１は、電荷蓄積部３１に蓄積された電荷量に応じて、画像形成装置２００からの電力の供給が停止している間に扉２０が開いたか否かを検出する。
（電荷蓄積部に蓄積される電荷量の変化）
次に、本実施形態に係る電荷蓄積部３１に蓄積される電荷量の変化について、図面を参照しながら説明する。図４は、電源ＯＮ時の初期状態における電荷蓄積部３１に蓄積される電荷量の変化を説明するための図である。図５は、電源ＯＦＦ時に扉２０が所定時間以上開いた状態における電荷量の変化を説明するための図である。図６は、電源ＯＦＦ時に扉２０が閉じている状態における電荷蓄積部３１に蓄積される電荷量の変化を説明するための図である。
【００４２】
ここで、図４〜図６において、線Ａは、画像形成装置２００の電源の状態（ＯＮ又はＯＦＦ）を示す。すなわち、画像形成装置２００の電源がＯＮである場合には、後処理装置１００に画像形成装置２００から電力が供給される。一方で、画像形成装置２００の電源がＯＦＦである場合には、後処理装置１００に画像形成装置２００からの電力の供給が停止している。
【００４３】
線Ｂは、電荷蓄積部３１に蓄積される電荷量の変化を示す。なお、図６において、線Ｂは、扉２０が閉じている状態での電荷蓄積部３１に蓄積されている電荷量を示し、線Ｂ’は、扉２０が所定時間内開いていた状態での電荷蓄積部３１に蓄積されている電荷量を示す。
【００４４】
線Ｃは、イニシャル処理の実行（ＯＮ又はＯＦＦ）を示す。すなわち、イニシャル処理の実行がＯＮである場合には、イニシャル処理が実行される。一方で、イニシャル処理の実行がＯＦＦである場合には、イニシャル処理が実行されない。
【００４５】
線Ｄは、電荷蓄積部３１に蓄積されている電荷量の所定閾値を示す。この所定閾値は、所定時間扉２０が開かれたことを判断するための閾値である。所定時間とは、扉２０が開かれても、処理機構１０に対しての操作が行われていないと判断できる時間（例えば、１ｓｅｃ程度）とする。
＜初期状態＞
図４に示すように、画像形成装置２００にＡＣ電源２１０からの電力の供給が開始される初期状態（例えば、工場出荷時）において、画像形成装置２００の電源がＯＮとなった場合、電荷蓄積部３１は、電荷補充部３２からの電荷を蓄積しつつ（１０ｓｅｃ程度蓄積しつつ）、処理機構１０は、イニシャル動作を実行する。
【００４６】
なお、電荷補充部３２への電荷の補充が完了するまでの時間（ｔ１）は、イニシャル処理が終了するまでの時間（ｔ２）よりも短い。このため、電荷補充部３２は、画像形成装
置２００からの電力の供給が再開されてからイニシャル処理が終了するまでの間に、電荷蓄積部３１への電荷の補充を完了できる。
＜扉２０が所定時間以上開いた状態＞
図５に示すように、画像形成装置２００の電源がＯＦＦの間に、扉２０が所定時間以上開いた状態において、電荷蓄積部３１に蓄積された電荷量は、扉スイッチ部３３が導通してＯＮとなることで、除々に少なくなっていく。電荷蓄積部３１に蓄積された電荷量は、扉２０が開いている時間が長くなることに伴って、０となる場合もある。
【００４７】
画像形成装置２００の電源が再度ＯＮになった場合、検出部４１は、電荷蓄積部３１に蓄積された電荷量が所定閾値（ａ）を下回っていると、扉２０が開かれたと判断する。イニシャル処理部４２は、扉２０が開いたことが検出部４１によって検出されたため、処理機構１０にイニシャル処理を実行させる。従って、電荷蓄積部３１は、電荷補充部３２からの電荷を蓄積しつつ（１０ｓｅｃ程度蓄積しつつ）、処理機構１０は、イニシャル動作を実行する。
【００４８】
なお、上述した初期状態と同様に、電荷補充部３２への電荷の補充が完了するまでの時間（ｔ１）は、イニシャル処理が終了するまでの時間（ｔ２）よりも短い。このため、電荷補充部３２は、画像形成装置２００からの電力の供給が再開されてからイニシャル処理が終了するまでの間に、電荷蓄積部３１への電荷の補充を完了できる。
＜扉２０が閉じている状態＞
図６（線Ｂ）に示すように、画像形成装置２００の電源がＯＦＦの間に、扉２０が閉じている状態において、電荷蓄積部３１に蓄積された電荷量は、扉スイッチ部３３が導通せずにＯＦＦとなっていることで、維持される。
【００４９】
画像形成装置２００の電源が再度ＯＮになった場合、検出部４１は、電荷蓄積部３１に蓄積された電荷量が所定閾値（ａ）以上に維持されていると、扉２０が開かれなかったと判断する。イニシャル処理部４２は、扉２０が開いたことが検出部４１によって検出されなかったため、処理機構１０にイニシャル処理を実行させない。
【００５０】
ここで、扉２０が閉じている状態には、扉２０が所定時間内開いていた状態を含む。図６（線Ｂ’）に示すように、画像形成装置２００の電源がＯＦＦの間に、扉２０が所定時間内開いていた状態において、電荷蓄積部３１に蓄積された電荷量は、少なくなる。具体的には、電荷量は、扉２０が開放された状態になると、所定時間内には扉スイッチ部３３がＯＮとなることで除々に少なくなり、扉２０が閉じた状態となると、扉スイッチ部３３がＯＦＦとなることで維持される。
【００５１】
画像形成装置２００の電源が再度ＯＮになった場合、検出部４１は、電荷蓄積部３１に蓄積された電荷量が所定閾値（ａ）を下回っていないため、扉２０が開いていないと判断する。イニシャル処理部４２は、扉２０が開いたことが検出部４１によって検出されなかったため、処理機構１０にイニシャル処理を実行させない。従って、電荷蓄積部３１は、電荷補充部３２からの電荷を蓄積しつつ（すなわち、扉２０が開いた状態で抜けた電荷を蓄積しつつ）、処理機構１０は、イニシャル動作を実行しない。
（制御ユニット４０の動作）
次に、本実施形態に係る制御ユニット４０の動作について、図面を参照しながら説明する。図７は、本実施形態に係る制御ユニット４０の動作を示すフロー図である。
【００５２】
図７に示すように、ステップ１０において、制御ユニット４０は、画像形成装置２００の電源がＯＦＦからＯＮになったか否かを判定する。すなわち、制御ユニット４０は、画像形成装置２００の電源が投入されたか否かを判定する。制御ユニット４０は、画像形成装置２００の電源がＯＦＦからＯＮになったと判断した場合には、ステップ２０の処理に
移る。一方で、制御ユニット４０は、画像形成装置２００の電源がＯＦＦからＯＮになっていないと判断した場合（すなわち、電源ＯＮ時）には、ステップ５０の処理に移る。
【００５３】
ステップ２０において、制御ユニット４０は、電源ＯＦＦ時に扉２０が開いたことが検出部４１によって検出されたか否かを判定する。制御ユニット４０は、扉２０が開いたことが検出部４１によって検出された場合、すなわち、電源ＯＦＦ時に扉２０が開かれたと判断した場合には、ステップ３０の処理に移る。一方で、制御ユニット４０は、扉２０が開いたことが検出部４１によって検出されなかった場合には、ステップ４０の処理に移る。
【００５４】
ステップ３０において、制御ユニット４０は、処理機構１０にイニシャル処理を実行させる。従って、処理機構１０は、イニシャル処理を実行する。
【００５５】
ステップ４０において、制御ユニット４０は、処理機構１０イニシャル処理を実行させずに待機し、ステップ１０の処理に戻る。
【００５６】
このように、本実施形態では、電源ＯＦＦ時に扉２０が開かれたと判断した場合にのみ、イニシャル処理が実行される。
【００５７】
次に、ステップ１０で画像形成装置２００の電源がＯＦＦからＯＮになっていないと判断された場合（すなわち、電源ＯＮ時）では、ステップ５０において、制御ユニット４０は、扉２０が開閉されたことが画像形成装置２００からの電力で作動する検出手段（例えば、センサー）によって検出されたか否かを判定する。制御ユニット４０は、扉２０が開閉されたことが検出手段によって検出された場合には、ステップ６０の処理に移る。一方で、制御ユニット４０は、扉２０が開閉されたことが検出手段によって検出されなかった場合には、ステップ７０の処理に移る。
【００５８】
ステップ６０において、制御ユニット４０は、処理機構１０にイニシャル処理を実行させる。従って、処理機構１０は、イニシャル処理を実行する。
【００５９】
ステップ７０において、制御ユニット４０は、処理機構１０イニシャル処理を実行させずに待機し、ステップ１０の処理に戻る。
（作用・効果）
本実施形態では、電荷蓄積部３１は、電源ＯＦＦ時に扉２０が開いた状態において電荷が抜け、扉２０が閉じた状態において電荷が維持される。検出部４１は、画像形成装置２００からの電力の供給が再開された場合に、電荷蓄積部３１に蓄積された電荷量に応じて、画像形成装置２００からの電力の供給が停止している間に扉２０が開いたか否かを検出する。従って、電力の供給が停止した状態であっても、簡易な構成によって扉２０の開閉を検出することができ、後処理装置１００のコストの上昇を抑制できる。
【００６０】
また、制御ユニット４０は、扉２０が開いたことが検出部４１によって検出されなかった場合には、処理機構１０にイニシャル処理を実行させず、扉２０が開いたことが検出部４１によって検出された場合には、処理機構１０にイニシャル処理を実行させる。これによれば、不必要なイニシャル処理を省略することができる。従って、画像処理装置の電力が一時的に不足することをできる限り抑制でき、かつ、イニシャル処理に必要な時間をできる限り短くすることが可能となる。
【００６１】
また、電荷補充部３２は、画像形成装置２００からの電力の供給が再開されてからイニシャル処理が終了するまでの間に、電荷蓄積部３１への電荷の補充を完了する。これによれば、画像形成装置２００からの電力の供給が再開されるたびに、常に、電荷補充部３２
は、扉２０が開いた状態で電荷蓄積部３１から抜けた電荷を補充できる。従って、画像形成装置２００から独立した二次電池を設ける必要がなくなる。
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００６２】
実施形態では、後処理装置１００は、例えば、ソート処理、穴空け処理、ステープル処理、冊子処理、中綴じ処理、裁断処理などを行うものとして説明したが、これに限定されるものではなく、他の処理を行ってもよいことは勿論である。
【００６３】
実施形態では、後処理装置１００は、１つの扉２０を備えているものとして説明したが、これに限定されるものではなく、複数の扉２０を備えていてもよい。例えば、後処理装置１００は、ソート処理機構１１に対応した扉２０や、穴空け処理機構１２に対応した扉２０などを備えていてもよい。
【００６４】
この場合、検出部４１は、ソート処理機構１１に対応した扉２０の開閉を検出できるとともに、穴空け処理機構１２に対応した扉２０の開閉をも検出できる。これによれば、イニシャル処理部４２は、ソート処理機構１１又は穴空け処理機構１２のそれぞれにイニシャル処理を実行させるか否かを指示できる。
【００６５】
実施形態では、電荷補充部３２は、スイッチユニット３０に設けられているものとして説明したが、これに限定されるものではなく、画像形成装置２００に設けられていてもよいことは勿論である。
【００６６】
この開示から当業者には様々な代替実施の形態、実施例及び運用技術が明らかとなろう。したがって、本発明の技術的範囲は、上述の説明から妥当な特許請求の範囲に係る発明特定事項によってのみ定められるものである。
【図面の簡単な説明】
【００６７】
【図１】本実施形態に係る後処理装置１００及び画像形成装置２００の概略を示す斜視図である。
【図２】本実施形態に係る後処理装置１００及び画像形成装置２００を示すブロック図である。
【図３】本実施形態に係る後処理装置１００を示す回路図である。
【図４】電源ＯＮ時の初期状態における電荷蓄積部３１に蓄積される電荷量の変化を説明するための図である。
【図５】電源ＯＦＦ時に扉２０が所定時間以上開いた状態における電荷量の変化を説明するための図である。
【図６】電源ＯＦＦ時に扉２０が閉じている状態における電荷蓄積部３１に蓄積される電荷量の変化を説明するための図である。
【図７】本実施形態に係る制御ユニット４０の動作を示すフロー図である。
【符号の説明】
【００６８】
１０…処理機構、１１…ソート処理部、１２…穴空け処理部、１３…ステープル処理部、１４…冊子処理部、１５…中綴じ処理部、１７…裁断処理部、２０…ステップ、２０…扉、３０…スイッチユニット、３１…電荷蓄積部、３２…電荷補充部（補充部）、３３…扉スイッチ部、４０…制御ユニット、４１…検出部、４２…イニシャル処理部、４３…後処理動作部、１００…後処理装置、、２００…画像形成装置、２１０…ＡＣ電源
【図１】
2010066556.tif 000003
【図２】
2010066556.tif 000004
【図３】
2010066556.tif 000005
【図４】
2010066556.tif 000006
【図５】
2010066556.tif 000007
【図６】
2010066556.tif 000008
【図７】
2010066556.tif 000009